(57)【要約】【課題】瓶を傾けて液状の内容物を注ぐ時、揺れ動きを防止し、一定量の内容物を注ぐことができるように調整しやすく、瓶に残留する内容物の排出を円滑にするようにその構造が改良された瓶の栓組立体に関する。【解決手段】瓶の栓組立体は、内キャップ２０と、外キャップ３０とからなり、内キャップ２０は、瓶１０の入口に結合される筒形状の本体部２１と、本体部２１の下端部の端から上部側に中心に向かって延びる傾斜面２２ａが形成され、その傾斜面２２ａの周りに複数の出入孔２２ｂが形成された突出部２２とを備える。【選択図】図３
2013508226.tif 000002
【特許請求の範囲】
【請求項１】
瓶の入口に結合される内キャップと、前記内キャップの外側に開閉可能に結合されて瓶の入口を密封させる外キャップとを備える瓶の栓組立体において、
前記内キャップ２０は、
前記瓶１０の入口に結合される筒形状の本体部２１と、
前記本体部２１の下端部の端から上部側に中心に向かって延びる傾斜面２２ａが形成され、
その傾斜面２２ａの周りに複数の出入孔２２ｂが形成された突出部２２とを備えてなることを特徴とする瓶の栓組立体。
【請求項２】
前記出入孔２２ｂは、前記傾斜面２２ａの下端部から上端部に長く形成され、前記出入孔２２ｂの下端部の端に突出して突起２２ｃが形成されていることを特徴とする請求項１に記載の瓶の栓組立体。
【請求項３】
前記内キャップ２０は、弾性変形が可能な合成樹脂材で形成され、前記本体部２１の上端部の端に外方折曲げられた弾性片２１ｂが形成され、前記外キャップ３０の内面には、前記本体部２１の上端部の内周面に結合される環状の密封リブ３１と、前記弾性片２１ｂが支持される円形の密封顎３２とが形成されていることを特徴とする請求項１または２に記載の瓶の栓組立体。
【請求項４】
前記瓶１０の入口の内周面には、凹溝１１が形成され、前記本体部２１の下端部の外周面には、前記凹溝１１に弾力的に結合および分離される凸部２１ｃが形成されていることを特徴とする請求項３に記載の瓶の栓組立体。
【請求項５】
前記本体部２１の外周面には、前記瓶１０の入口の上端部に支持される係止リブ２１ａが形成されていることを特徴とする請求項４に記載の瓶の栓組立体。
【発明の詳細な説明】
【技術分野】
【０００１】
本発明は、瓶の栓組立体に関し、より詳細には、瓶を傾けて液状の内容物を注ぐ時、揺れ動きを防止し、一定量の内容物を注ぐことができるように調整しやすくし、瓶に残留する内容物の排出を円滑にするようにその構造が改良された瓶の栓組立体に関する。
【背景技術】
【０００２】
一般的に、内容物を収容する空間が長手方向に長く、入口が狭い瓶（ｂｏｔｔｌｅ）は、キャップ部材によって入口が開閉できるようになっている。
【０００３】
特に、キャップ部材には、図１および図２に示すように、瓶１の入口に開閉可能に結合されて密封させる外キャップ３と、液状の内容物が大量に排出されることを防止することができるように小さい穴２ａが形成された内キャップ２とから構成されている。
【０００４】
しかし、図２のように、瓶１を傾けて液状の内容物を注ぐ時、内容物が排出されながら、瓶の内部空間ａが外部空間ｂより真空になることにより、すなわち、大気圧より小さい真空圧になることにより、内容物が排出される小さい穴２ａを介して外部の空気が瓶の内部に流入する。
【０００５】
すなわち、瓶の内部空間ａが外部空間ｂのような大気圧になる状態で内容物の排出が可能になり、内容物の排出に応じて、その排出量だけ内部空間ａの容積が大きくなりつつ真空圧になり、外部空間ｂから空気が流入する動作が繰り返し行われるようになる。
【０００６】
したがって、１つの小さい穴２ａを介して内容物の排出と外部空気の流入が繰り返し行われることにより、内容物の排出が迅速にできないだけでなく、空気の流入で瓶の内部で気泡が発生し、内容物を定量的に注ぐのに邪魔になる。
【０００７】
また、瓶１を傾けて内容物を注いでも、内キャップ２と瓶１との間に内容物が残留するが、その残留内容物をすべて排出させるためには、内キャップ２を分離しなければならないという煩わしさがある。
【発明の概要】
【発明が解決しようとする課題】
【０００８】
本発明は、上記の問題を解決するためになされたものであって、その目的は、内容物の排出と外部空気の流入が同時に行われるようにすることにより、内容物の排出を迅速にし、かつ、瓶の内部での気泡を防止することにより、内容物を定量的に排出させやすくした瓶の栓組立体を提供することである。
【０００９】
本発明の他の目的は、瓶の内周面と内キャップの端との間に残留する内容物の排出を容易にした瓶の栓組立体を提供することである。
【課題を解決するための手段】
【００１０】
上記の目的を達成する本発明は、瓶の入口に結合される内キャップと、前記内キャップの外側に開閉可能に結合されて瓶の入口を密封させる外キャップとを備える瓶の栓組立体において、前記内キャップは、前記瓶の入口に結合される筒形状の本体部と、前記本体部の下端部の端から上部側に中心に向かって延びる傾斜面が形成され、その傾斜面の周りに複数の出入孔が形成された突出部とを備えてなることを特徴とする。
【００１１】
また、前記出入孔は、前記傾斜面の下端部から上端部に長く形成され、前記出入孔の下端部の端に突出して突起が形成されていることを特徴とする。
【００１２】
さらに、本発明の組立体において、前記内キャップは、弾性変形が可能な合成樹脂材で形成され、前記本体部の上端部の端に外方折曲げられた弾性片が形成され、前記外キャップの内面には、前記本体部の上端部の内周面に結合される環状の密封リブと、前記弾性片が支持される円形の密封顎とが形成されていることを特徴とする。
【００１３】
また、前記瓶の入口の内周面には、凹溝が形成され、前記本体部の下端部の外周面には、前記凹溝に弾力的に結合および分離される凸部が形成されていることを特徴とする。
【００１４】
さらに、前記本体部の外周面には、前記瓶の入口の上端部に支持される係止リブが形成されていることを特徴とする。
【発明の効果】
【００１５】
本発明の瓶の栓組立体は、内キャップに複数の出入孔が形成されることにより、瓶を傾けて液状の内容物を排出させる時、下部に位置する出入孔を介して内容物が排出されると同時に、上部に位置する出入孔を介しては外部の空気が瓶の内部に流入し、内容物の揺れ動きなく排出が円滑になり、これにより、定量排出を図ることが容易になる。
【００１６】
また、内キャップの下端部に突起が形成されることにより、内キャップの下端部の端と瓶の内周面との間に残留する内容物の表面張力が破壊され、残留内容物の排出を円滑にする。
【００１７】
さらに、内キャップの上端部に弾性片が形成され、外キャップに密封リブおよび密封顎が形成されることにより、密封の信頼性を向上させる。
【００１８】
また、瓶の入口の内周面に凹溝が形成され、内キャップに凸部が形成されることにより、瓶を傾けて内容物を排出させる時、内キャップの結合状態を安定的に維持させる。
【図面の簡単な説明】
【００１９】
【図１】通常の瓶の栓組立体を示す斜視図である。
【図２】図１の瓶を傾けて内容物を排出させる状態を示す断面図である。
【図３】本発明の実施形態の瓶の栓組立体を示す分離斜視図である。
【図４】図３の部分結合断面図である。
【図５】図３の結合断面図である。
【図６】内キャップの平面図である。
【図７】内容物を排出させる状態の断面図である。
【図８】残留内容物を排出させる動作説明図である。
【発明を実施するための形態】
【００２０】
本発明の実施形態の瓶の栓組立体は、液状の内容物の排出時、内容物の揺れ動きを防止することにより、排出を円滑にし、内容物を定量的に排出させやすくする。
【００２１】
本発明の実施形態の瓶の栓組立体を示す図３〜図６を参照すると、これは、瓶１０の入口に結合される内キャップ２０と、前記内キャップ２０の外側に開閉可能に結合されて瓶の入口を密封させる外キャップ３０とを備える。
【００２２】
瓶１０の入口の外周面には、雄ねじが形成され、外キャップ３０の内周面には、前記雄ねじと螺合する雌ねじが形成される。
【００２３】
図４および図６を参照すると、前記内キャップ２０は、前記瓶１０の入口に結合される筒形状の本体部２１と、前記本体部２１の下端部の端から上部側に中心に向かって延びる傾斜面２２ａが形成され、その傾斜面２２ａの周りに複数の出入孔２２ｂが形成された突出部２２とを備える。
【００２４】
実質的に、前記突出部２２は、切頭円錐形状に形成され、その切頭部２２ｄは、図示のように閉鎖され、瓶を傾けて液状の内容物を排出させる時、内容物がこぼれて排出される現象を防止させる。
【００２５】
前記出入孔２２ｂは、前記傾斜面２２ａの下端部から上端部に長く形成され、前記出入孔２２ｂの下端部の端に突出して突起２２ｃが形成される。前記突起２２ｃは、各出入孔２２ｂの下端部ごとに形成される。
【００２６】
また、前記内キャップ２０は、弾性変形が可能な合成樹脂材で形成され、前記本体部２１の上端部の端には、外方折曲げられた弾性片２１ｂが形成される。
【００２７】
前記外キャップ３０の内面には、前記本体部２１の上端部の内周面に結合される環状の密封リブ３１と、前記弾性片２１ｂが支持される円形の密封顎３２とが形成される。すなわち、弾性片２１ｂは、図５のように、密封リブ３１と密封顎３２との間に押し込まれ、密封リブ３１は、瓶１０の入口の内周面に挿入されて瓶の入口を密封させる。
【００２８】
また、前記瓶１０の入口の内周面には、凹溝１１が形成され、前記本体部２１の下端部の外周面には、前記凹溝１１に弾力的に結合および分離される凸部２１ｃが形成される。この場合、内キャップ２０は、瓶の入口に弾力的に結合され、瓶を傾けて内容物を排出させる時、内容物の圧力によって内キャップ２０が分離されることを防止させる。
【００２９】
さらに、前記本体部２１の外周面には、前記瓶１０の入口の上端部に支持される係止リブ２１ａが形成され、内キャップ２０が瓶の入口に過度に進入することを防止させる。
【００３０】
上記のような構成の本発明の実施形態の瓶の栓組立体は、内キャップ２０に複数の出入孔２２ｂが形成されることにより、図７のように、瓶１０を傾けて液状の内容物を排出させる時、下部に位置する出入孔を介して内容物が排出されると同時に、上部に位置する出入孔を介しては外部の空気が瓶の内部に流入し、内容物の揺れ動きなく排出が円滑になり、これにより、定量排出を図ることが容易になる。
【００３１】
また、内キャップ２０の下端部に突起２２ｃが形成されることにより、図８のように、内キャップ２０の下端部の端と瓶１０の内周面との間に残留する内容物１０１の表面張力が突起２２ｃによって破壊され、残留内容物の排出を円滑にする。
【００３２】
さらに、内キャップ２０の上端部に弾性片２１ｂが形成され、外キャップ３０に密封リブ３１および密封顎３２が形成されることにより、密封の信頼性を向上させる。
【００３３】
また、瓶１０の入口の内周面に凹溝１１が形成され、内キャップ２０に凸部２１ｃが形成されることにより、瓶１０を傾けて内容物を排出させる時、内キャップ２０が瓶１０から離脱することを防止させる。
【産業上の利用可能性】
【００３４】
瓶を傾けて液状の内容物を注ぐ時、揺れ動きを防止し、一定量の内容物を注ぐことができるように調整しやすく、瓶に残留する内容物の排出を円滑にする。
【図１】
2013508226.tif 000003
【図２】
2013508226.tif 000004
【図３】
2013508226.tif 000005
【図４】
2013508226.tif 000006
【図５】
2013508226.tif 000007
【図６】
2013508226.tif 000008
【図７】
2013508226.tif 000009
【図８】
2013508226.tif 000010
【国際調査報告】
2013508226.tif 000011
2013508226.tif 000012
2013508226.tif 000013
2013508226.tif 000014